(57)【要約】      （修正有）【課題】便利に自由制御でき、四肢を前後交替する爬行動作がしやすく、室内使用向きの爬行式フィットネス機器を提供する。【解決手段】ローラーを備える二つの手スライダー３０１と、ローラーを備える二つの足スライダー３０２と、直線型の平行軌道をなす軌道部品３００と、を含み、手スライダー３０１および足スライダー３０２のローラーは、ともに軌道内のみにおいて移動可能となるように位置限定され、ローラー上またはローラーと軌道との間にダンピング機構を備える。【選択図】図１０
0003189488.tif 000002
【実用新案登録請求の範囲】
【請求項１】
ローラーを備える二つの手スライド部品と、
ローラーを備える二つの足スライド部品と、
直線型の平行軌道をなす軌道部品と、を含み、
前記手スライド部品および足スライド部品のローラーは、ともに軌道内のみにおいて移動可能となるように位置が限定され、前記ローラーまたは前記ローラーと前記軌道との間には、ダンピング構造が備えられていることを特徴とする爬行式フィットネス機器。
【請求項２】
前記軌道部品は、軟質の丸巻き可能な絨毯軌道であり、絨毯が敷かれた場合、平行に設けられ、前記軌道の断面は、ローラーの外形に対応した溝形状を有することを特徴とする請求項１に記載の爬行式フィットネス機器。
【請求項３】
前記軌道部品は、軟質の丸巻き可能な絨毯軌道であり、絨毯が敷かれた場合、長尺状の凸筋構造を有し、かつ、平行に設けられ、前記ローラーは、前記凸筋型の軌道に合せるために、外縁の頂端部の周囲に内円弧型の溝を設けることを特徴とする請求項１に記載の爬行式フィットネス機器。
【請求項４】
前記軌道部品は、硬質の軌道部品であり、前記手スライド部品および足スライド部品のローラーは、当該軌道に沿って直線運動のみできるように、当該軌道により位置が限定され、同側の手スライド部品と足スライド部品との間に少なくとも一本の弾性糸を接続することを特徴とする請求項１に記載の爬行式フィットネス機器。
【請求項５】
前記軌道部品は、折り畳み可能な構造を有することを特徴とする請求項４に記載の爬行式フィットネス機器。
【請求項６】
前記軌道部品は、硬質の軌道部品であり、前記手スライド部品および足スライド部品のローラーは、当該軌道に沿って直線運動のみできるように、当該軌道により位置が限定され、前記手スライド部品および足スライド部品のローラーに、渦巻きバネをさらに設けることを特徴とする請求項１に記載の爬行式フィットネス機器。
【請求項７】
前記軌道部品は、硬質の軌道部品であり、前記手スライド部品および足スライド部品のローラーは、当該軌道に沿って直線運動のみできるように、当該軌道により位置が限定され、前記手スライド部品、前記足スライド部品の同側のローラーの間に、引張り糸をさらに設けることを特徴とする請求項１に記載の爬行式フィットネス機器。
【請求項８】
前記軌道部品は、硬質の軌道部品であり、前記手スライド部品および足スライド部品のローラーは、当該軌道に沿って直線運動のみできるように、当該軌道により位置が限定され、前記軌道の外縁は台形構造を有し、ローラーと軌道との間の摩擦力を増大するために、手スライド部品または足スライド部品のローラーの内側面である軌道と接触する面に、弾性緩衝材料をさらに設けることを特徴とする請求項１に記載の爬行式フィットネス機器。
【請求項９】
前記軌道部品は、折り畳み可能な構造を有することを特徴とする請求項６〜８のいずれか一項に記載の爬行式フィットネス機器。
【請求項１０】
前記軌道は、中央部に溝を有し、前記手スライド部品及び前記足スライド部品は、前記溝を覆う“Ｃ”字状の部品を有することを特徴とする請求項１〜８のいずれか一項に記載の爬行式フィットネス機器。
【請求項１１】
前記軌道は、横置きの“Ｄ”字状の構造を有し、前記手スライダーおよび前記足スライダーのローラーは、当該軌道をちょうど覆う逆立ちの“Ｕ”字状の構造を有することを特徴とする請求項１〜８のいずれか一項に記載の爬行式フィットネス機器。
【請求項１２】
前記軌道は、“Ｔ”字状の構造を有し、前記手スライド部品および前記足スライド部品のローラーは、当該軌道を覆う形状を有することを特徴とする請求項１〜８のいずれか一項に記載の爬行式フィットネス機器。
【請求項１３】
前記軌道は、互いに平行な円形軌道で、前記手スライド部品および前記足スライド部品のローラーは、前記円形軌道を覆う形状を有することを特徴とする請求項１〜８のいずれか一項に記載の爬行式フィットネス機器。
【請求項１４】
前記手スライド部品や前記足スライド部品は、これらを前記軌道に固定するための直挿式挿入ピン構造をさらに有することを特徴とする請求項１〜８のいずれか一項に記載の爬行式フィットネス機器。
【請求項１５】
前記手スライド部品や前記足スライド部品は、これらを前記軌道に固定するための凸輪制御式挿入ピン構造をさらに有することを特徴とする請求項１〜８のいずれか一項に記載の爬行式フィットネス機器。
【請求項１６】
手スライド部品と、足スライド部品と、直線型の平行軌道をなす軌道部品と、を含み、
前記手スライド部品および足スライド部品は、ともに軌道内のみにおいて移動可能となるように位置が限定され、前記手スライド部品の間、前記足スライド部品の間、またはこれらと軌道との間には、ダンピング構造が備えられていることを特徴とする爬行式フィットネス機器。
【請求項１７】
前記手スライド部品および足スライド部品は、スライダーまたは直線型ベアリングを有することを特徴とする請求項１６に記載の爬行式フィットネス機器。
【請求項１８】
前記軌道は、“Ｔ”字状の構造を有し、前記スライダーは、前記“Ｔ”字状構造の軌道を覆う形状を有することを特徴とする請求項１７に記載の爬行式フィットネス機器。
【請求項１９】
前記軌道は、互いに平行な円形軌道で、前記スライダーは、前記円形軌道を覆う形状を有することを特徴とする請求項１７に記載の爬行式フィットネス機器。
【考案の詳細な説明】
【技術分野】
【０００１】
本考案は、フィットネス機器に関し、特に爬行式フィットネス機器に関する。
【背景技術】
【０００２】
近年、爬行運動によるフィットネスは、新たなフィットネスとして流行りつつある。爬行運動は水平運動（主に人体の脊椎が地面と平行する爬行運動を指す）であるため、人体の直立運動に比べて、運動中に脊椎に対する重力の圧力を解消または緩和できる。したがって、爬行運動は、運動中の脊椎に対して圧力の緩和および保護ができる運動である。また、爬行運動中において、人体の大脳と心臓はほぼ同一の高さに位置されるため、心臓から大脳への血液供給の円滑性が向上される。このように、定期的に爬行運動によるフィットネスを行うことは、人体の脊椎および心脳血管系統の健康維持にも有益である。
【０００３】
しかし、このような爬行運動は、場所や気候によって制限を受けやすい。このため、場所や気候に関わらず、爬行動作を模倣可能なフィットネス機器に対する需要性が高まっている。
【０００４】
特許文献１には、次のような爬行式フィットネス機器が公開されている。図１、２に示されるように、当該フィットネス機器は、二つの手制御本体１と、二つの足制御本体２を有する。手制御本体１は、先端に固設される鉄棒のように二本の支柱の間を渡るハンドル１３と、後端の底面に装設される長軸式ローラー１４と、を有する。足制御本体２は、底面に装設される二本の長軸式ローラー２２を有する。また、図３に示されるように、爬行運動する前の予備動作として、使用者は、両足の脛を足制御本体２の上に跪き、両手の肘を手制御本体１の上について、かつ、ハンドル１３を掴む動作をする。さらに、図４に示されるように、運動時には、腕力により手制御本体１の先端を持ち上げ、手制御本体１の後端の長軸式ローラー１４のみ地面につけさせることにより、手による進退制御を実現する。一方、持ち上げた腕を下ろし、手制御本体１の先端を地面につけさせることにより、手制御本体１を停止させる。足制御本体２については、足先を地面から離させることにより、足による進退制御を実現し、足先を地面につけさせることにより、足制御本体２を停止させる。このように、両手両足を交替して使用することにより、爬行運動の停止および進退の動作が行われ、体をカメレオンのように匍匐前進させることができる。また、図５に示されるように、当該フィットネス機器は、二つの手制御本体１および二つの足制御本体２をそれぞれ一つに一体化させる接着式面ファスナー１７、２４を設けることにより、尺取虫のように体を屈曲、伸展しながら進退させることができる。
【先行技術文献】
【特許文献】
【０００５】
【特許文献１】中国実用新案ＺＬ０３２４４６９２．６号明細書
【考案の概要】
【考案が解決しようとする課題】
【０００６】
しかしながら、上記従来の爬行運動機器は、理論上において爬行運動によるフィットネスを実現できる一方、実際の使用上においては、以下のような問題点を有する。
【０００７】
１．停止動作の制御が難しい。当該フィットネス機器は、ダンピング機構を有さず、かつ、地面上において任意の方向へ走行可能であるため、手と足のみによって停止動作が実現される。具体的には、持ち上げた腕を下ろして、手制御本体の先端を地面につけさせることにより手制御本体を停止させ、足先を地面につけさせることにより足制御本体を停止させる。
【０００８】
２．当該フィットネス機器は、図５に示されたような体を屈曲、伸展する爬行動作を行う際にのみ動作を順調に行うことができ、図４に示されたような両手両足を交替する爬行動作を行う際には、比較的に四肢の動作制御が難しく、転倒しやすい。四肢が二つの手制御本体１および二つの足制御本体２により支えられた後、四肢の力加減に不均等または偏向性があると、いずれの本体も斜めになるか進行方向が予定された進路から外れる可能性がある。そうすると、他の本体まで制御しにくくなってしまう。
【０００９】
３．手制御本体および足制御本体のローラーが直接地面と摩擦するため、床、絨毯または地面を傷つけてしまう。このため、当該フィットネス機器は、室内使用には不向きである。
【００１０】
４．手制御本体および足制御本体のローラーの進行方向をガイドする軌道がないため、運動中に予定された進路から外れやすい。
【００１１】
本考案は、上記従来の爬行式フィットネス機器の問題点を解消するためになされたものである。本考案は、便利に自由制御でき、四肢を前後交替する爬行動作がしやすく、室内の床、絨毯または地面を傷つけない室内使用向きの爬行式フィットネス機器を提供することを目的とする。
【課題を解決するための手段】
【００１２】
上記の目的を達成するための本考案に係る爬行式フィットネス機器は、ローラーを備える二つの手スライド部品と、ローラーを備える二つの足スライド部品と、直線型平行軌道をなす軌道部品と、を含み、前記手スライド部品および足スライド部品のローラーは、ともに軌道内のみにおいて移動できるように位置が限定され、前記ローラーまたは前記ローラーと前記軌道との間には、ダンピング構造が備えられている。
【００１３】
前記軌道部品は、軟質の丸巻き可能な絨毯軌道であり、絨毯が敷かれた場合、平行に設けられ、前記軌道の断面は、ローラーの外形に対応した溝形状を有する。
【００１４】
前記軌道部品は、軟質の丸巻き可能な絨毯軌道であり、絨毯が敷かれた場合、長尺状の凸筋構造を有し、かつ、平行に設けられ、前記ローラーは、前記凸筋型の軌道に合せるために、外縁の頂端部の周囲に内円弧型の溝を設ける。
【００１５】
前記軌道部品は、硬質の軌道部品であり、前記手スライド部品および足スライド部品のローラーは、当該軌道に沿って直線運動のみできるように、当該軌道により位置が限定され、同側の手スライド部品と足スライド部品との間に少なくとも一本の弾性糸を接続する。
【００１６】
前記軌道部品は、折り畳み可能な構造を有する。
【００１７】
前記軌道部品は、硬質の軌道部品であり、前記手スライド部品および足スライド部品のローラーは、当該軌道に沿って直線運動のみできるように、当該軌道により位置が限定され、前記手スライド部品および足スライド部品のローラーに、渦巻きバネをさらに設ける。
【００１８】
前記軌道部品は、硬質の軌道部品であり、前記手スライド部品および足スライド部品のローラーは、当該軌道に沿って直線運動のみできるように、当該軌道により位置が限定され、前記手スライド部品、前記足スライド部品の同側のローラーの間に、引張り糸をさらに設ける。
【００１９】
前記軌道部品は、硬質の軌道部品であり、前記手スライド部品および足スライド部品のローラーは、当該軌道に沿って直線運動のみできるように、当該軌道により位置が限定され、前記軌道の外縁は台形構造を有し、ローラーと軌道との間の摩擦力を増大するために、手スライド部品または足スライド部品のローラーの内側面である軌道と接触する面に、弾性緩衝材料をさらに設ける。
【００２０】
前記軌道部品は、折り畳み可能な構造を有する。
【００２１】
前記軌道は、中央部に溝を有し、前記手スライド部品及び前記足スライド部品は、前記溝を覆う“Ｃ”字状の部品を有する。
【００２２】
前記軌道は、横置きの“Ｄ”字状の構造を有し、前記手スライド部品および前記足スライド部品のローラーは、当該軌道をちょうど覆う逆立ちの“Ｕ”字状の構造を有する。
【００２３】
前記軌道は、“Ｔ”字状の構造を有し、前記手スライド部品および前記足スライド部品のローラーは、当該軌道を覆う形状を有する。
【００２４】
前記軌道は、互いに平行な円形軌道で、前記手スライド部品および前記足スライド部品のローラーは、前記円形軌道を覆う形状を有する。
【００２５】
前記手スライド部品や前記足スライド部品は、これらを前記軌道に固定するための直挿式挿入ピン構造をさらに有する。
【００２６】
前記手スライド部品や前記足スライド部品は、これらを前記軌道に固定するための凸輪制御式挿入ピン構造をさらに有する。
【００２７】
上記の目的を達成するための本考案に係る他の爬行式フィットネス機器は、手スライド部品と、足スライド部品と、直線型の平行軌道をなす軌道部品と、を含み、前記手スライド部品および足スライド部品は、ともに軌道内のみにおいて移動可能となるように位置が限定され、前記手スライド部品の間、前記足スライド部品の間、またはこれらと軌道との間には、ダンピング構造が備えられている。
【００２８】
前記手スライド部品および足スライド部品は、スライダーまたは直線型ベアリングを有する。
【００２９】
前記軌道は、“Ｔ”字状の構造を有し、前記スライダーは、前記“Ｔ”字状構造の軌道を覆う形状を有する。
【００３０】
前記軌道は、互いに平行な円形軌道で、前記スライダーは、前記円形軌道を覆う形状を有する。
【考案の効果】
【００３１】
本考案に係る爬行式フィットネス機器によれば、次のような効果が得られる。
【００３２】
ａ．スライド部品に適切なダンピングを与えることにより、使用者によるスライド部品を効果的に制御できる。
【００３３】
ｂ．スライド部品の進行方向をガイドする軌道部品を有することにより、地面（床または絨毯）を有効に保護でき、ローラーにより傷つけられない。
【００３４】
ｃ．軌道を折り畳みまたは丸巻くことができるため、コンパクトで収納しやすい。
【図面の簡単な説明】
【００３５】
【図１】従来の爬行式フィットネス機器の手制御本体の構造を示す図である。
【図２】従来の爬行式フィットネス機器の足制御本体の構造を示す図である。
【図３】従来の爬行式フィットネス機器の爬行運動する前の予備動作状態を示す図である。
【図４】従来の爬行式フィットネス機器の交替爬行運動の動作状態を示す図である。
【図５】従来の爬行式フィットネス機器の体を屈曲、伸展する運動の動作状態を示す図である。
【図６】第１実施形態に係る爬行式フィットネス機器の構造を示す図である。
【図７】ローラーと軌道との接続構造を示す図である。
【図８】第２実施形態に係る爬行式フィットネス機器の構造を示す図である。
【図９】ローラーと軌道との接続構造を示す図である。
【図１０】第３実施形態に係る爬行式フィットネス機器の構造を示す図である。
【図１１】軌道部品を折り畳んだ後の構造を示す図である。
【図１２】ダンピング構造の代替構造の一例を示す図である。
【図１３】ダンピング構造の代替構造の他の一例を示す図である。
【図１４】ダンピング構造の代替構造のさらに他の一例を示す図である。
【図１５】第４実施形態の軌道とローラーとの配合の断面を示す図である。
【図１６】第４実施形態に係る爬行式フィットネス機器の構造を示す図である。
【図１７】第５実施形態の軌道とローラーとの配合の断面を示す図である。
【図１８】第５実施形態に係る爬行式フィットネス機器の構造を示す図である。
【図１９】第６実施形態の軌道とスライダーとの配合の断面を示す図である。
【図２０】第６実施形態に係る爬行式フィットネス機器の構造を示す図である。
【図２１】第７実施形態の軌道とスライダーとの配合の断面を示す図である。
【図２２】第７実施形態に係る爬行式フィットネス機器の構造を示す図である。
【図２３】第８実施形態の直挿式挿入ピンとピン孔を備えるローラーとの配合の断面を示す図である。
【図２４】第８実施形態の直挿式挿入ピン構造を備える手スライド部品の立体図である。
【図２５】第８実施形態に係る爬行式フィットネス機器の構造を示す図である。
【図２６】第９実施形態の凸輪式挿入ピンとピン孔を備えるローラーとの配合の断面を示す図である。
【図２７】第９実施形態の凸輪式挿入ピン構造を備える手スライド部品の立体図である。
【図２８】第９実施形態の凸輪式挿入ピン構造を備える爬行式フィットネス機器の構造を示す図である。
【考案を実施するための形態】
【００３６】
[第１実施形態]
図６は、第１実施形態に係る爬行式フィットネス機器の構造を示す図であり、図７は、ローラーと軌道との接続構造を示す図である。
【００３７】
図６、７に示されるように、爬行式フィットネス機器は、ローラーを備える二つの手スライド部品１０１、ローラー１０３を備える二つの足スライド部品１０２および丸巻き可能な軟質の絨毯軌道１００を有する。絨毯軌道１００の具体的な材質は、たとえば、プラスチックガラスを選択できる。
【００３８】
絨毯が敷かれた場合、軌道は、平行に設けられ、軌道の断面は、ローラー１０３の外形に対応した溝形状を有する。使用時において、手スライド部品１０１および足スライド部品１０２のローラーは、ともに溝形状の軌道内のみにおいて水平直線運動のみできるように位置が限定される。したがって、ローラーは、予定された進路から外れて、その他の方向へ進行することはない。
【００３９】
また、ローラーと軌道の溝との間の摩擦力をダンピングとして利用することにより、手スライド部品１０１および足スライド部品１０２に対する制御をしやすくする。
【００４０】
第１実施形態に係る爬行式フィットネス機器によれば、四肢を前後交替する爬行動作によるフィットネスが簡単にできる。
【００４１】
[第２実施形態]
図８は、第２実施形態に係る爬行式フィットネス機器の構造を示す図であり、図９は、ローラーと軌道との接続構造を示す図である。
【００４２】
図８、９に示されるように、爬行式フィットネス機器は、ローラーを備える二つの手スライド部品２０１、ローラー２０３を備える二つの足スライド部品２０２および丸巻き可能な軟質の絨毯軌道２００を有する。絨毯軌道２００の具体的な材質は、たとえば、プラスチックガラスを選択できる。
【００４３】
絨毯が敷かれた場合、軌道は、長尺状の凸筋構造を有し、かつ、平行に設けられる。ローラー２０３は、凸筋型の軌道に合せるために、外縁の頂端部の周囲に内円弧型の溝を設ける。使用時において、手スライド部品２０１および足スライド部品２０２の外縁の頂端部の周囲に設けられた内円弧型の溝は、長尺状の凸筋軌道を組み込んで、ローラーを軌道内のみにおいて水平直線運動できるように位置を限定する。したがって、ローラーは、予定された進路から外れて、その他の方向へ進行することはない。
【００４４】
また、ローラーの溝と軌道の凸筋との間の摩擦力をダンピングとして利用することにより、手スライド部品２０１および足スライド部品２０２に対する制御をしやすくする。
【００４５】
第２実施形態に係る爬行式フィットネス機器によれば、四肢を前後交替する爬行動作によるフィットネスが簡単にできる。
【００４６】
[第３実施形態]
図１０は、第３実施形態に係る爬行式フィットネス機器の構造を示す図である。
【００４７】
図１０に示されるように、爬行式フィットネス機器は、ローラーを備える二つの手スライド部品３０１、ローラーを備える二つの足スライド部品３０２および平行に設けられた軌道の硬質の軌道部品３００を有する。当該硬質の軌道部品３００の材質は、非金属（たとえば、プラスチック）または金属（アルミニウムまたは鉄等）のいずれかであってもよい。軌道の形状は、溝、凸筋、台形などであってよく、平行に配置された二つの円管であってもよい。手スライド部品３０１および足スライド部品３０２のローラーは、軌道に沿って直線運動のみできるように、軌道により位置が限定される。したがって、ローラーは、確実に予定された進路から外れて、その他の方向へ進行できないことが保証される。
【００４８】
手スライド部品３０１と足スライド部品３０２に与えるダンピングを増やすことによりこれらに対する制御をしやすくするため、同側の手スライド部品３０１と足スライド部品３０２との間に、一本（または一本以上）の弾性糸３０３を接続する。したがって、四肢を前後交替する爬行動作によるフィットネスが簡単にできる。
【００４９】
また、フィットネス機器の収納性および収納するための省スペースを実現するため、軌道部品３００は、折り畳み可能な構造を有する。軌道部品の中央部および両端の位置にヒンジ３０４およびヒンジ用接続部品３０５、３０６、３０７などを設けることにより、軌道部品の双方向、かつ、二重の折り畳みを実現する。このような折り畳み構造を有するため、軌道全体は、左右手軌道および左右足軌道からなる。左手軌道と左足軌道、および右手軌道と右足軌道とは、ともにヒンジにより接続される。二つの左（手および足）軌道と二つの右（手および足）軌道との間は、軌道の前後および中央部に設けられた三本の横棒により接続され、左右軌道間の並行が維持される。三本の横棒の中央部には、それぞれ三つのヒンジ用接続部品３０５、３０６および３０７が設けられる。ここで、左右足軌道後部のヒンジ用接続部品３０７は、三つの接続部品の軸心の中心ずれによる折り畳み不良を防止するために、二軸を有するようにする。図１１は、軌道部品を折り畳んだ後の構造を示す図である。図に示されるように、大きさが大幅に縮小され、収納がしやすくなる。
【００５０】
次に、手スライド部品および足スライド部品に与えるダンピングを増やすために、第３実施形態の構造の下で、さらに、次のような構造および方式を利用して、弾性糸３０３の構造を代替できる。図１２〜図１４は、ダンピング構造の代替構造の例を示す図である。
【００５１】
図１２に示されるように、手スライド部品と足スライド部品のローラー３０８に、渦巻きバネ３０９をさらに設けることができる。
【００５２】
図１３に示されるように、手スライド部品、足スライド部品のローラー３０８との間に、引張り糸３１０をさらに設けることができる。
【００５３】
図１４に示されるように、軌道３００の外縁を台形構造に変更し、手スライド部品または足スライド部品のローラー３０８の内側面（軌道と接触する面）に、弾性緩衝材料３１１をさらに設け、ローラー３０８と軌道３００との間の摩擦力を増大させることができる。
【００５４】
[第４実施形態]
図１５は、第４実施形態の軌道とローラーとの配合の断面を示す図であり、図１６は、第４実施形態に係る爬行式フィットネス機器の構造を示す図である。
【００５５】
図１５に示されるように、軌道４０１は、溝を備える軌道４０１と、軌道４０１に嵌合され、外縁が“Ｃ”字状の構造を備えるローラー４０２を有する。したがって、ローラー４０２は、進行速度が速くても、軌道４０１から横倒れすることがないため、使用者の安全が守れる。
【００５６】
[第５実施形態]
図１７は、第５実施形態の軌道とローラーとの配合の断面を示す図であり、図１８は、第５実施形態に係る爬行式フィットネス機器の構造を示す図である。
【００５７】
図１７に示されるように、軌道５０１は、横置きの“Ｄ”字状の構造を有し、ローラー５０２は、逆立った“Ｕ”字状の構造を備える。ローラー５０２は、軌道５０１に覆われ、高速で進行しても、軌道５０１から横倒れすることがないため、使用者の安全が守れる。
【００５８】
[第６実施形態]
図１９は、第６実施形態の軌道とスライダーとの配合の断面を示す図であり、図２０は、第６実施形態に係る爬行式フィットネス機器の構造を示す図である。
【００５９】
図１９に示されるように、軌道６０１は、“Ｔ”字状の構造を有し、スライダー６０２は、軌道６０１を覆う構造を有する。スライダー６０２は、使用者から力を受けて、軌道６０１上を平滑移動し、高速で進行しても、軌道６０１から横倒れすることがないため、使用者の安全が守れる。
【００６０】
[第７実施形態]
図２１は、第７実施形態の軌道とスライダーとの配合の断面を示す図であり、図２２は、第７実施形態に係る爬行式フィットネス機器の構造を示す図である。
【００６１】
図２１に示されるように、軌道７０1は、互いに平行な円形軌道で、スライダー７０２は、軌道７０１を覆い、かつ、軌道７０１の外側に位置する円形構造を備える。スライダー７０２は、使用者から力を受けて、軌道７０１上を平滑移動し、高速で進行しても、軌道７０１から横倒れすることがないため、使用者の安全が守れる。
【００６２】
[第８実施形態]
図２３は、第８実施形態の直挿式挿入ピンとピン孔を備えるローラーとの配合の断面を示す図であり、図２４は、第８実施形態の直挿式挿入ピン構造を備える手スライド部品の立体図である。図２５は、第８実施形態に係る爬行式フィットネス機器の構造を示す図である。
【００６３】
図２３に示されるように、ローラーは、ピン孔を備えており、ローラーを固定する必要がある場合には、挿入ピン８０１をピン孔に挿入すればよい。
【００６４】
[第９実施形態]
図２６は、第９実施形態の凸輪式挿入ピンとピン孔を備えるローラーとの配合の断面を示す図であり、図２７は、第９実施形態の凸輪式挿入ピン構造を備える手スライド部品の立体図である。図２８は、第９実施形態の凸輪式挿入ピン構造を備える爬行式フィットネス機器の構造を示す図である。
【００６５】
第８実施形態に係るフィットネス機器に比べて、本実施形態の挿入ピンの構造は、凸輪式であるところが異なる。たとえば、手スライド部品の場合、図２６の凸輪式挿入ピン９０１は回転可能で、手スライド部品のピン孔に挿入された後、凸輪式挿入ピン９０１を適切な角度まで回転させれば、ローラーをロックできる。
【００６６】
以上、本考案の好適な実施形態を説明したが、これらは本考案の説明のための例示であり、本考案の範囲をこれらの実施形態にのみ限定する趣旨ではない。本考案は、その要旨を逸脱しない範囲で、上記実施形態とは異なる種々の態様で実施することができる。
【符号の説明】
【００６７】
１  手制御本体、
２  足制御本体、
１３  ハンドル、
１４、２２  長軸式ローラー、
１７、２４  接着式面ファスナー、
１００、２００  絨毯軌道、
１０１、２０１、３０１  手スライド部品、
１０２、２０２、３０２  足スライド部品、
１０３、２０３、３０８、４０２、５０２  ローラー、
３００  軌道部品、
３０３  弾性糸、
３０４  ヒンジ、
３０５、３０６、３０７  ヒンジ用接続部品、
３１１  弾性緩衝材料、
４０１、５０１、６０１、７０１  軌道、
６０２、７０２  スライダー、
９０１  凸輪式挿入ピン。
【図１】
0003189488.tif 000003
【図２】
0003189488.tif 000004
【図３】
0003189488.tif 000005
【図４】
0003189488.tif 000006
【図５】
0003189488.tif 000007
【図６】
0003189488.tif 000008
【図７】
0003189488.tif 000009
【図８】
0003189488.tif 000010
【図９】
0003189488.tif 000011
【図１０】
0003189488.tif 000012
【図１１】
0003189488.tif 000013
【図１２】
0003189488.tif 000014
【図１３】
0003189488.tif 000015
【図１４】
0003189488.tif 000016
【図１５】
0003189488.tif 000017
【図１６】
0003189488.tif 000018
【図１７】
0003189488.tif 000019
【図１８】
0003189488.tif 000020
【図１９】
0003189488.tif 000021
【図２０】
0003189488.tif 000022
【図２１】
0003189488.tif 000023
【図２２】
0003189488.tif 000024
【図２３】
0003189488.tif 000025
【図２４】
0003189488.tif 000026
【図２５】
0003189488.tif 000027
【図２６】
0003189488.tif 000028
【図２７】
0003189488.tif 000029
【図２８】
0003189488.tif 000030